(57)【要約】【課題】簡略な構造で低コスト化が図れる光ファイバコネクタを提供する。【解決手段】一方の光ファイバコネクタの光ファイバ心線３ａを支持するフェルール４を磁力を有するものとし、他方の光ファイバコネクタの光ファイバ心線３ａを支持するフェルール４を、磁力を有するもの又は磁性体とすることで、フェルール４同士を互いに吸着するようにし、その磁力を光ファイバ心線３ａ同士の接続の押圧力として用いた光ファイバコネクタ。【選択図】　図１
2004004222.tif 000002
【特許請求の範囲】
【請求項１】
光ファイバの接続を行う光ファイバコネクタにおいて、
前記光ファイバの心線同士の端面の接続の押圧力に磁力を用いたことを特徴とする光ファイバコネクタ。
【請求項２】
光ファイバの接続を行う光ファイバコネクタにおいて、
前記光ファイバを支持する少なくとも一方のコネクタ部材を、磁力を有するものとし、前記コネクタ部材同士を互いに吸着するようにしたことを特徴とする光ファイバコネクタ。
【請求項３】
光ファイバの接続を行う光ファイバコネクタにおいて、
前記光ファイバを支持する一方のコネクタ部材を磁力を有するものとし、前記光ファイバを支持する他方のコネクタ部材を磁性体としたことを特徴とする光ファイバコネクタ。
【請求項４】
請求項２又は請求項３記載の光ファイバコネクタにおいて、
前記コネクタ部材が前記光ファイバを支持するフェルールであることを特徴とする光ファイバコネクタ。
【請求項５】
請求項２又は請求項３記載の光ファイバコネクタにおいて、
前記コネクタ部材が前記光ファイバを支持するフェルールの外側に設けられた外枠部材であることを特徴とする光ファイバコネクタ。
【請求項６】
請求項１乃至請求項５のいずれかに記載の光ファイバコネクタにおいて、
前記光ファイバを、シングルモードファイバ又はマルチモードファイバとしたことを特徴とする光ファイバコネクタ。
【請求項７】
請求項１乃至請求項６のいずれかに記載の光ファイバコネクタにおいて、
前記光ファイバを、１心又は複数の心線としたことを特徴とする光ファイバコネクタ。
【請求項８】
請求項１乃至請求項７のいずれかに記載の光ファイバコネクタにおいて、
前記コネクタ部材が既存の光ファイバコネクタと接続できる互換性を備えたことを特徴とする光ファイバコネクタ。
【請求項９】
請求項１乃至請求項８のいずれかに記載の光ファイバコネクタにおいて、
前記磁力として磁石を用いたことを特徴とする光ファイバコネクタ。
【発明の詳細な説明】
【０００１】
【発明の属する技術分野】
本発明は、光ファイバコネクタに関する。
【０００２】
【従来の技術】
戸建住宅、ビル構内などの建物内に布設された光ファイバなどの配線ケーブルを相互に接続する光ファイバコネクタには様々な種類のものが存在する。中でも最も広く使用されている光ファイバコネクタ、ＳＣ形光ファイバコネクタ（ＪＩＳ　Ｃ　５９７３に規定されているＦ０４型単心光ファイバコネクタ）を例として説明する。
【０００３】
図３は、従来のＳＣ形光ファイバコネクタの側面の断面図である。
【０００４】
図３に示すように、ＳＣ形光ファイバコネクタは、主にコネクタの外枠となるハウジング１と、光ファイバの接続部分となるプラグ２により構成されており、プラグ２は、ハウジング１の内側先端部に配設される。プラグ２は、光ファイバコード３の光ファイバ心線３ａが挿入される精密細孔を有する円筒状のフェルール１２と、フェルール１２の外周に配置され、フェルール１２と一体化されたフランジ５と、フランジ５の外周に配置され、ハウジング１内に配設されたプラグフレーム６とから構成される。
【０００５】
ハウジング１の長手方向の後部では、光ファイバコード３をその中心に支持するかしめリング７と、かしめリング７の後部の外周に配設されたリング７ａにより、光ファイバコード３のケブラ繊維などが固定されている。又、かしめリング７、リング７ａをその内側先端部に包み込むようにゴムブーツ８が配設されており、更に、ゴムブーツ８の先端部が、ハウジング１の内側後方部に配設されることで、光ファイバコード３がハウジング１内部に支持される。又、ゴムブーツ８は、光ファイバコード３の外被の保護を行っている。
【０００６】
プラグ２は、光ファイバコネクタの長手方向に、ハウジング１内を進退自由な構造となっている。つまり、プラグフレーム６がハウジング１内部に可動に支持されることで、プラグ２が可動となり、更に、プラグ２の内部、つまり、フランジ５の外周とプラグフレーム６の内周の間に、押圧バネ１０を装着することで、プラグ２に押圧力を付与している。プラグ２の進退幅は、ハウジング１のストッパ１ａとストップリング１１により制限されており、フェルール１２の進退可能な空間は、図３に示す進退スペース１１ａの部分となる。ストップリング１１は、その内側先端部に可動にフェルール１２及びフランジ５を支持しており、その後部をかしめリング７及びゴムブーツ８により支持されている。この構造により、ストップリング１１の先端部が押圧バネ１０を後方から支持し、光ファイバコネクタの接続時には、押圧バネ１０がフランジ５に付勢力を与えることでプラグ２への押圧力とし、プラグ２と共に光ファイバ心線３ａを、他の光ファイバコネクタの光ファイバ心線の端面に押付けることとなる。
【０００７】
光ファイバコネクタを互いに接続する場合、双方の光ファイバの端面に空隙が存在すると光ファイバと空隙、つまり、空気層との間の屈折率の不整合により、伝播光にフレネル反射が生じる。この屈折率の不整合を取り除くために考案されたのが、アダプタなどを介し、光ファイバコネクタの光ファイバの端面間を直接接続するＰＣ（Ｐｈｙｓｉｃａｌ　Ｃｏｎｔａｃｔ）接続である。
【０００８】
ＰＣ接続では、高精度に加工された円筒状のフェルールが用いられており、そのフェルールの中心の精密細孔に、被覆を除去された裸の光ファイバ、即ち、光ファイバ心線が挿入され、接着剤等で固定される。この時、フェルールの先端は光ファイバ心線とともに研磨され、凸球状に加工される。このフェルールの先端、つまり、光ファイバ心線の先端となる端面を、相互に押し付けて接続する方法がＰＣ接続である。この方法では、高加工精度を有するフェルールを用いることにより、調心をすることなく、比較的に簡単に光ファイバの接続ができる。上記フェルールには、通常セラミックの一種であるジルコニア、プラスチック、ステンレスなどが用いられる。
【０００９】
図３に示すＳＣ形光ファイバコネクタでは、ＰＣ接続を行う手段として、高加工精度を有するフェルール１２を用い、更に、互いを押付ける手段として、プラグ２を可動とし、押圧バネ１０によりプラグ２（フェルール１２）に押圧力を与えている。この構造により、フェルール１２を光ファイバの長手方向の先端側に押圧して、接続する光ファイバ心線３ａの端面が互いに押し付けられる。
【００１０】
ＳＣ形光ファイバコネクタ以外の既存の光ファイバコネクタについても、外観や構成する部品は若干異なるが、いずれの光ファイバコネクタの部品においてもＰＣ接続を行うための押圧バネ相当の部品が必ず含まれている。例えば、ＭＴ形光ファイバコネクタ（ＪＩＳ　Ｃ　５９８１に規定されているＦ１２形多心光ファイバコネクタ）においては、クリップが押圧バネに相当するものである。
【００１１】
【発明が解決しようとする課題】
従来の光ファイバコネクタにおいては、無調心で簡単に光ファイバ心線の接続を行うためには、高加工精度のフェルールを用いる必要が有り、更に、フレネル反射を避けて、光ファイバ心線同士を確実に接続するには、ＰＣ接続を用いて、光ファイバ心線に適切な押圧力を付与する必要がある。押圧力の付与手段としては、バネ等が用いられており、それにともない、押圧力が付与されるフェルール等が可動である必要があった。そのため、光ファイバコネクタの構造が複雑になり、低コスト化が難しく、更に、組立時の煩雑さにともない、施工時間の短縮化への障害となっていた。
【００１２】
光配線によるネットワークの普及にともない、戸建住宅、ビル構内などの建物内に光配線によるネットワークを構築する場合、光ファイバコネクタなどの更なる低コスト化や組立部品の簡略化（例えば、押圧バネの削減など）、施工時間の短縮化が望まれている。
【００１３】
本発明は上記課題に鑑みなされたもので、簡略な構造で低コスト化が図れる光ファイバコネクタを提供することを目的とする。
【００１４】
【課題を解決するための手段】
上記課題を解決する本発明に係る光ファイバコネクタは、光ファイバの心線同士の端面の接続の押圧力に磁力を用いたことを特徴とする。
【００１５】
上記課題を解決する本発明に係る光ファイバコネクタは、前記光ファイバを支持する少なくとも一方のコネクタ部材を、磁力を有するものとし、前記コネクタ部材同士を互いに吸着するようにしたことを特徴とする。
【００１６】
上記課題を解決する本発明に係る光ファイバコネクタは、前記光ファイバを支持する一方のコネクタ部材を磁力を有するものとし、前記光ファイバを支持する他方のコネクタ部材を磁性体としたことを特徴とする。
【００１７】
上記課題を解決する本発明に係る光ファイバコネクタは、前記コネクタ部材が前記光ファイバを支持するフェルールであることを特徴とする。
【００１８】
上記課題を解決する本発明に係る光ファイバコネクタは、前記コネクタ部材が前記光ファイバを支持するフェルールの外側に設けられた外枠部材であることを特徴とする。
【００１９】
上記課題を解決する本発明に係る光ファイバコネクタは、前記光ファイバを、シングルモードファイバ又はマルチモードファイバとしたことを特徴とする。
【００２０】
上記課題を解決する本発明に係る光ファイバコネクタは、前記光ファイバを、１心又は複数の心線としたことを特徴とする。
【００２１】
上記課題を解決する本発明に係る光ファイバコネクタは、前記コネクタ部材が既存の光ファイバコネクタと接続できる互換性を備えたことを特徴とする。
【００２２】
上記課題を解決する本発明に係る光ファイバコネクタは、前記磁力として磁石を用いたことを特徴とする。
【００２３】
【発明の実施の形態】
以下、図に示す実施例に基づき、この発明を詳細に説明する。なお、これらの図により、この発明が限定されるものではない。
【００２４】
又、実施例では、ＳＣ形光ファイバコネクタ（ＪＩＳ　Ｃ　５９７３に規定されているＦ０４形単心光ファイバコネクタ）を例として説明を行うが、既存の他の光ファイバコネクタ（１心または複数心線用）全てにおいても、本発明の適用が可能である。
【００２５】
図１は、本発明に係る実施形態の一例を示すＳＣ形光ファイバコネクタの側面の断面図である。
【００２６】
本実施例で示す光ファイバコネクタは、光ファイバ心線を挿入する精密細孔をその中心に有し、光ファイバ心線のコネクタ部材となるフェルール４が磁力を有していることが特徴である。つまり、光ファイバ心線同士の端面のＰＣ（Ｐｈｙｓｉｃａｌ　Ｃｏｎｔａｃｔ）接続の押圧力として、フェルール４の磁力を用いている。そのために、従来の光ファイバコネクタと比較した場合、基本的な構造は同等であるが、押圧バネ１０、ストップリング１１（図３参照）等が不要となる。
【００２７】
具体的には、図１に示すように、本発明に係る光ファイバコネクタは、主にコネクタの外枠部材となるハウジング１と光ファイバの接続部分となるプラグ２により構成されており、プラグ２は、ハウジング１の内側先端部に配設される。プラグ２は、光ファイバコード３の光ファイバ心線３ａが挿入される精密細孔を有し、高精度に加工された円筒状のフェルール４と、フェルール４の外周に配置され、フェルール４と一体化されたフランジ５と、フランジ５の外周に配置され、ハウジング１内に配設されたプラグフレーム６とから構成される。
【００２８】
ハウジング１の長手方向の後部は、図３に示す光ファイバコネクタと同様の構成であり、光ファイバコード３をその中心に支持するかしめリング７と、かしめリング７の後部の外周に配設されたリング７ａにより、光ファイバコード３のケブラ繊維などが固定されている。又、かしめリング７、リング７ａをその内側先端部に包み込むようにゴムブーツ８が配設されており、更に、ゴムブーツ８の先端部が、ハウジング１の内側後方部に配設されることで、光ファイバコード３がハウジング１内部に支持される。又、ゴムブーツ８は、光ファイバコード３の外被の保護を行っている。
【００２９】
本実施例のＳＣ形光ファイバコネクタは、フェルール４の磁力を用いて光ファイバ心線３ａの端面の接続の押圧力とするため、押圧バネ１０（図３参照）が不要となる。それにともない、プラグ２も進退自由な機構を必要とせず、ストップリング１１や進退スペース１１ａ（図３参照）の必要性もなくなる。したがって、プラグ２をハウジング１に固定し、フェルール４を後方より支持するフェルール支持部材９を設けた。押圧バネ１０、ストップリング１１及び進退スペース１１ａを廃することで、光ファイバコネクタの構造の簡略化が図られ、小型化および低コスト化に結びつく。又、構造の簡略化にともない、光ファイバコードを光ファイバコネクタに組み込む作業もより容易になり、戸建住宅やビル構内などの建物内に布設された光ファイバなどの配線ケーブルを相互に接続する場合、作業時間の短縮ができる。
【００３０】
磁力を有するフェルール４の構成については、ＰＣ接続に必要な押圧力を光ファイバ心線を挿入したフェルール４に持たせるため、フェルール４全体を、磁力を有するもので構成してもよいし、又はフェルール４の一部、例えば、フェルールの光ファイバ心線の端面部を、磁力を有するもので構成してもよい。
【００３１】
又、光ファイバコネクタ同士のＰＣ接続のため、光ファイバ心線を挿入したフェルール４が、共に磁石により構成され、その端面を互いに異なる磁極が接する構成としてもよい。又、一方の光ファイバコネクタのフェルール４を磁石とし、他方の光ファイバコネクタのフェルール４を磁性体（磁石に吸引される物質）で構成してもよい。
【００３２】
図２は、本発明に係る実施形態の他の一例を示すＳＣ形光ファイバコネクタの側面の断面図である。
【００３３】
本実施例で示す光ファイバコネクタは、コネクタ部材として、光ファイバ心線３ａを支持するフェルール１２の外側に設けられた外枠部材であるハウジング１に、磁力を有する吸着部１３ａ及び磁力により吸着される被吸着部１３ｂを備えたことが特徴である。つまり、光ファイバ心線同士の端面のＰＣ接続の押圧力として、ハウジング１に設けた吸着部１３ａ、被吸着部１３ｂ間の磁力を用いており、光ファイバコネクタ同士のハウジング１を吸着させ、そのハウジング１の内側先端部に支持されるフェルール１２同士を接続させることにより、光ファイバ心線３ａを接続する。そのために、従来の光ファイバコネクタと比較した場合、基本的な構造は同等であるが、押圧バネ１０、ストップリング１１（図３参照）等が不要となる。又、フェルール１２は、磁力を有するもので構成する必要はなく、従来と同等のものでよい。
【００３４】
具体的には、図２に示すように、本発明に係る光ファイバコネクタは、主にコネクタの外枠部材となるハウジング１と光ファイバの接続部分となるプラグ２により構成されており、プラグ２は、ハウジング１の内側先端部に配設される。プラグ２は、光ファイバコード３の光ファイバ心線３ａが挿入される精密細孔を有し、高精度に加工された円筒状のフェルール１２と、フェルール１２の外周に配置され、フェルール１２と一体化されたフランジ５と、フランジ５の外周に配置され、ハウジング１内に配設されたプラグフレーム６とから構成される。
【００３５】
ハウジング１の長手方向の後部は、図３に示す光ファイバコネクタと同様の構成であり、光ファイバコード３をその中心に支持するかしめリング７と、かしめリング７の後部の外周に配設されたリング７ａにより、光ファイバコード３のケブラ繊維などが固定されている。又、かしめリング７、リング７ａをその内側先端部に包み込むようにゴムブーツ８が配設されており、更に、ゴムブーツ８の先端部が、ハウジング１の内側後方部に配設されることで、光ファイバコード３がハウジング１内部に支持される。又、ゴムブーツ８は、光ファイバコード３の外被の保護を行っている。
【００３６】
本実施例のＳＣ形光ファイバコネクタは、吸着部１３ａ、被吸着部１３ｂの磁力による吸着力を用いて光ファイバ心線３ａを接続するため、押圧バネ１０（図３参照）が不要となる。それにともない、プラグ２も進退自由な機構を必要とせず、ストップリング１１や進退スペース１１ａ（図３参照）の必要性もなくなる。したがって、プラグ２をハウジング１に固定し、フェルール１２を後方より支持するフェルール支持部材９を設けた。押圧バネ１０、ストップリング１１及び進退スペース１１ａを廃することで、光ファイバコネクタの構造の簡略化が図られ、小型化および低コスト化に結びつく。又、構造の簡略化にともない、光ファイバコードを光ファイバコネクタに組み込む作業もより容易になり、戸建住宅やビル構内などの建物内に布設された光ファイバなどの配線ケーブルを相互に接続する場合、作業時間の短縮ができる。
【００３７】
ＰＣ接続に必要な押圧力を、光ファイバ心線を挿入したフェルール１２に持たせるため、フェルール１２を支持するハウジング１の外周部に、磁石等の磁力を有する吸着部１３ａと、磁性体等の磁石に吸着される被吸着部１３ｂとを設けた。この場合、他方の光ファイバコネクタも同じ構成であるため、光ファイバコネクタの接続に方向性が有り、一方の光ファイバコネクタの吸着部１３ａが他方の光ファイバコネクタの被吸着部１３ｂに吸着し、一方の光ファイバコネクタの被吸着部１３ｂが他方の光ファイバコネクタの吸着部１３ａに吸着することで、光ファイバの接続を行う。
【００３８】
又、光ファイバコネクタのハウジング１の外周部に磁石等の磁力を有する吸着部１３ａのみを備えた構成としてもよい。この場合、一方の光ファイバコネクタの吸着部１３ａの吸着面と、他方の光ファイバコネクタの吸着部１３ａの吸着面とを、互いに異なる磁極同士を接するように配置することで、光ファイバの接続を行う。
【００３９】
又、一方の光ファイバコネクタのハウジング１の外周部に磁石等による吸着部１３ａを設け、他方の光ファイバコネクタのハウジング１に磁性体等による被吸着部１３ｂを設けた構成としてもよい。この場合、一方の光ファイバコネクタの吸着部１３ａが、他方の光ファイバコネクタの被吸着部１３ｂに吸着することで、光ファイバの接続を行う。
【００４０】
吸着部１３ａ、被吸着部１３ｂを上記構成とすることで、一方の光ファイバコネクタのコネクタ部材、つまり、ハウジング１を磁力を有するものとし、他方の光ファイバコネクタのハウジング１を磁力を有するもの又は磁性体とし、光ファイバ心線３ａを挿入したフェルール１２を備えた光ファイバコネクタ同士のＰＣ接続に、吸着部１３ａ、被吸着部１３ｂの磁力による吸着力（押圧力）を用いて、光ファイバ心線同士の端面の接続を行うことができる。
【００４１】
なお、上記吸着部１３ａ、被吸着部１３ｂは必ずしもハウジング１の外周面に設ける必要はなく、ハウジング１の内部に埋め込み、ハウジング１と一体としてもよい。
【００４２】
上記実施例の光ファイバコネクタでは、単心（一心）の光ファイバコードを用いた例として説明してきたが、本発明は単心（一心）のみならず、複数の心線を接続する光ファイバコネクタにも適用できる。例えば、複数の心線を保持する溝型精密フェルールを、磁力を有するもので構成したり、光ファイバコネクタのハウジング部分に磁力を有する吸着部及び磁力に吸着される被吸着部を設けたりすることで、容易に本発明を適用することができる。又、光ファイバの心線自体が、シングルモードファイバ（ＳＭＦ）であってもよいし、マルチモードファイバ（ＭＭＦ）であってもよい。なお、光ファイバ心線の端面のＰＣ接続のための研磨（フェルール端面部の凸球面形状研磨）の有無に関しては、光ファイバコネクタの適用箇所に依存するため、必ずしも研磨を行う必要はない。
【００４３】
光ファイバコネクタの形状、特に他の光ファイバコネクタ等との接続部分となるハウジングの部分、光ファイバ心線を支持するフェルールの部分の形状については、既存の光ファイバコネクタと接続時の互換性を持たせるため、既存の光ファイバコネクタと同等の形状としてもよい。本発明は、光ファイバコネクタを構成する基本的な部品の形状を変えることなく、光ファイバ心線の端面の接続の押圧力として磁力を適用できるため、既存の光ファイバコネクタと接続時の互換性を持たせた形状とすることで、既存の光ファイバコネクタとの接続も可能とする。
【００４４】
磁力を有する材料としては、磁石（磁性（鉄片を引きつけることやＮＳ極が現れること）を有する磁鉄鉱を意味し、現在では人工的に作られた比較的磁性の強い物質）等の磁力を有するものを用いる。又、磁性体としては、磁石等の磁力を有するものに吸着されるもの、例えば、鉄などを用いる。
【００４５】
本発明に係る光ファイバコネクタの適用箇所については、伝送特性（接続損失、反射減衰量など）の許容値が比較的大きい戸建住宅やビル構内などの建物内に用いることが好適であるが、将来的には、ロングホール（伝送系あるいはアクセス系設備）への適用も可能である。
【００４６】
【発明の効果】
請求項１に係る発明によれば、光ファイバの接続を行う光ファイバコネクタにおいて、光ファイバの心線同士の接続の押圧力に磁力を用いたので、押圧力にバネの付勢力を用いた従来の光ファイバコネクタと比較して、バネが不要となり、更に可動部分も不要となることから、簡略な構造にすることができ、それにともない光ファイバコネクタの低コスト化、光ファイバコネクタの組立時の施工時間の短縮化を行うことができる。
【００４７】
請求項２に係る発明によれば、前記光ファイバを支持する少なくとも一方のコネクタ部材を、磁力を有するものとし、前記コネクタ部材同士を互いに吸着するようにしたので、光ファイバの心線の接続の押圧力として、光ファイバを支持するコネクタ部材の磁力を用いることで、光ファイバコネクタの構造を簡略化でき、それにともない光ファイバコネクタの小型化及び低コスト化、光ファイバコネクタの組立時の施工時間の短縮化を行うことができる。
【００４８】
請求項３に係る発明によれば、前記光ファイバを支持する一方のコネクタ部材を磁力を有するものとし、前記光ファイバを支持する他方のコネクタ部材を磁性体としたので、光ファイバの心線の接続の押圧力として、光ファイバを支持するコネクタ部材の磁力を用いることで、光ファイバコネクタの構造を簡略化でき、それにともない光ファイバコネクタの小型化及び低コスト化、光ファイバコネクタの組立時の施工時間の短縮化を行うことができる。
【００４９】
請求項４に係る発明によれば、前記コネクタ部材が前記光ファイバを支持するフェルールであるので、光ファイバの心線の接続の押圧力として、光ファイバを支持するフェルールの磁力を用いることで、光ファイバコネクタの構造を簡略化でき、それにともない光ファイバコネクタの小型化及び低コスト化、光ファイバコネクタの組立時の施工時間の短縮化を行うことができる。
【００５０】
請求項５に係る発明によれば、前記コネクタ部材が前記光ファイバを支持するフェルールの外側に設けられた外枠部材であるので、光ファイバの心線の接続の押圧力として、光ファイバを支持するフェルールの外側に設けられた外枠部材の磁力を用いることで、光ファイバコネクタの構造を簡略化でき、それにともない光ファイバコネクタの小型化及び低コスト化、光ファイバコネクタの組立時の施工時間の短縮化を行うことができる。
【００５１】
請求項６に係る発明によれば、前記光ファイバを、シングルモードファイバ又はマルチモードファイバとしたので、シングルモードファイバ又はマルチモードファイバを光ファイバ心線とする光ファイバコネクタの構造を簡略化でき、それにともない光ファイバコネクタの小型化及び低コスト化、光ファイバコネクタの組立時の施工時間の短縮化を行うことができる。
【００５２】
請求項７に係る発明によれば、前記光ファイバを、１心または複数の心線としたので、１心又は複数の心線の光ファイバを用いた光ファイバコネクタの構造を簡略化でき、それにともない光ファイバコネクタの小型化及び低コスト化、光ファイバコネクタの組立時の施工時間の短縮化を行うことができる。
【００５３】
請求項８に係る発明によれば、前記コネクタ部材及び前記外枠が、既存の光ファイバコネクタと接続できる互換性を備えたので、既存の光ファイバコネクタとの接続も可能とする。
【００５４】
請求項９に係る発明によれば、前記磁力として磁石を用いたので、光ファイバ心線の端面の接続の押圧力となる磁力を磁石にて提供することで、光ファイバコネクタの構造を簡略化でき、それにともない光ファイバコネクタの小型化及び低コスト化、光ファイバコネクタの組立時の施工時間の短縮化を行うことができる。
【図面の簡単な説明】
【図１】本発明に係る実施形態の一例を示すＳＣ形光ファイバコネクタの側面の断面図である。
【図２】本発明に係る実施形態の他の一例を示すＳＣ形光ファイバコネクタの側面の断面図である。
【図３】従来のＳＣ形光ファイバコネクタの側面の断面図である。
【符号の説明】
１　　ハウジング
２　　プラグ
３　　光ファイバコード
３ａ　光ファイバ心線
４　　フェルール
５　　フランジ
６　　プラグフレーム
７　　かしめリング
７ａ　リング
８　　ゴムブーツ
９　　フェルール固定部材
【図１】
2004004222.tif 000003
【図２】
2004004222.tif 000004
【図３】
2004004222.tif 000005